【事件の表示】
　特願２０１８−５１０１０２「音声及びビデオ通話のためのインタラクティブ制御方法及び装置」拒絶査定不服審判事件〔平成２９年　４月　６日国際公開、ＷＯ２０１７／０５４３０９、平成３０年　９月　６日国内公表、特表２０１８−５２５７５１、請求項の数（８）〕について、次のとおり審決する。
【結　論】
　原査定を取り消す。
　本願の発明は、特許すべきものとする。
【理　由】
第１　手続の経緯
　本願は、２０１５年（平成２７年）１２月３日（パリ条約による優先権主張外国庁受理２０１５年９月２８日　中国）を国際出願日とする出願であって、その手続の経緯は以下のとおりである。
　平成３０年１２月２１日付け：拒絶理由通知書
　令和３１年　４月　８日　　：意見書、手続補正書の提出
　令和　元年　９月１９日付け：拒絶査定（原査定）
　令和　２年　１月２９日　　：審判請求書、手続補正書の提出
　令和　３年　１月１９日付け：拒絶理由（当審拒絶理由）通知書
　令和　３年　４月２６日　　：意見書、手続補正書の提出
第２　原査定の概要
　原査定の概要は次のとおりである。
　本願請求項１ないし１２に係る発明は、以下の引用文献ＡないしＣに記載された発明に基いて、その発明の属する技術の分野における通常の知識を有する者（以下、「当業者」という。）が容易に発明をすることができたものであるから、特許法第２９条第２項の規定により特許を受けることができない。
［引用文献等一覧］
Ａ　米国特許出願公開第２０１５／００８８５１４号明細書
Ｂ　特開２００８−２６９１７４号公報（周知技術を示す文献）
Ｃ　特開２００７−１８４５６号公報（周知技術を示す文献）
第３　当審拒絶理由の概要
　当審拒絶理由の概要は次のとおりである。
［理由１］明確性要件違反
　本願請求項４、５、９、１０及び１２に係る発明は、以下の点で明確ではないから、特許法第３６条第６項第２号に規定する要件を満たしていない。
　「トリガ情報」に「キーワード」が含まれることを構成に含む請求項４、５、９、１０及び１２に係る発明において、「トリガ情報に対応する操作命令」及び「操作命令に対応するイベント」が、いかなるものであるのか明確ではない。
［理由２］新規性欠如
　本願請求項１、６、１１及び１２に係る発明は、以下の引用文献１に記載された発明であるので、特許法第２９条第１項第３号に該当し、特許を受けることができない。
［理由３］進歩性欠如
　本願請求項１ないし１２に係る発明は、以下の引用文献１ないし５に記載された発明に基いて、当業者が容易に発明をすることができたものであるから、特許法第２９条第２項の規定により特許を受けることができない。
［引用文献等一覧］
１　国際公開第２０１５／００２６９９号（当審において新たに引用した文献）
２　特開２００４−２４８１４５号公報（当審において新たに引用した文献）
３　特開２００２−２７１５０７号公報（当審において新たに引用した文献）
４　米国特許出願公開第２０１５／００８８５１４号明細書（拒絶査定の引用文献Ａ）
５　特開２００８−２６９１７４号公報（拒絶査定の引用文献Ｂ）
　なお、理由３（進歩性欠如）において、主たる引用文献として、引用文献１と引用文献２とが提示されている。
第４　本願発明
　本願請求項１ないし８に係る発明（以下、それぞれ「本願発明１」ないし「本願発明８」という。）は、令和３年４月２６日に提出された手続補正書に係る手続補正（以下、「本件補正」という。）により補正された特許請求の範囲の請求項１ないし８に記載された事項により特定される発明であり、本願発明１ないし８は以下のとおりの発明である。（なお、下線は、補正された箇所を示す。）
「　　【請求項１】
　ユーザと１つ又は複数の他のユーザとの音声通話及びビデオ通話の経過において、ユーザの入力されたユーザ行動データをモニタリングし、ユーザにより音声方式及びジェスチャ方式を含む所定の方式で入力されたユーザ行動データを取得するステップと、
　前記ユーザ行動データに所定のトリガ情報が含まれているか否かを決定するステップと、
　前記トリガ情報が含まれていると判断・通知された場合、所定の操作命令セットのうち前記トリガ情報に対応する操作命令を決定し、前記操作命令に対応するイベントを実行するステップと、を含み、
　
前記トリガ情報は、キーワードを含み、
　
ユーザにより所定の方式で入力されたユーザ行動データを取得するステップは、
　
カメラにより採取されたビデオ情報を取得するステップと、
　
ビデオ認識アルゴリズムに基づいて前記ビデオ情報を認識して、前記ビデオ情報の認識結果を前記ユーザ行動データとして生成するステップであって、前記認識結果は、前記ビデオ情報における物の特徴情報を含むステップと、を含み、
　
前記ユーザ行動データに所定のトリガ情報が含まれているか否かを決定するステップは、
　
前記ユーザ行動データに前記物の特徴情報により決定された所定の前記キーワードが含まれているか否かを判断するステップを含み、
　
前記キーワードが含まれていると判断・通知された場合、所定の操作命令セットのうち前記トリガ情報に対応する操作命令を決定し、前記操作命令に対応するイベントを実行するステップは、
　
前記キーワードが含まれていると判断・通知された場合、サーバが前記キーワードに対応する推薦情報を取得するように、前記キーワードを前記サーバに送信し、前記サーバから返信された前記推薦情報を受信し、前記推薦情報をユーザに提供するという前記キーワードに対応する操作命令を決定し、前記キーワードに対応する操作命令に従ってイベントを実行すること、を含む、
　ことを特徴とする音声及びビデオ通話のためのインタラクティブ制御方法。
　　【請求項２】
　前記トリガ情報は、トリガ語と動作操作語とを含み、
　前記ユーザ行動データに所定のトリガ情報が含まれているか否かを決定するステップは、
　前記ユーザ行動データに所定の前記トリガ語が含まれているか否かを判断するステップと、
　前記トリガ語が含まれていると判断・通知された場合、前記ユーザ行動データに所定の前記動作操作語が含まれているか否かをさらに判断するステップと、を含み、
　前記トリガ情報が含まれていると判断・通知された場合、所定の操作命令セットのうち前記トリガ情報に対応する操作命令を決定し、前記操作命令に対応するイベントを実行するステップは、
　前記動作操作語が含まれていると判断・通知された場合、前記所定の操作命令セットに基づいて前記動作操作語に対応する操作命令を決定し、前記操作語に対応する操作命令に対応するイベントを実行するステップを含む、
　ことを特徴とする請求項１に記載の音声及びビデオ通話のためのインタラクティブ制御方法。
　　【請求項３】
　前記トリガ情報は、トリガジェスチャ動作とジェスチャ操作とを含み、
　ユーザにより所定の方式で入力されたユーザ行動データを取得するステップは、
　カメラによって前記ユーザにより入力されたユーザ行動データを取得するステップを含み、
　前記ユーザ行動データに所定のトリガ情報が含まれているか否かを決定するステップは、
　前記ユーザ行動データに所定の前記トリガジェスチャ動作が含まれているか否かを判断するステップと、
　前記トリガジェスチャ動作が含まれていると判断・通知された場合、前記ユーザ行動データに所定のジェスチャ操作が含まれているか否かをさらに判断するステップと、を含み、
　前記トリガ情報が含まれていると判断・通知された場合、所定の操作命令セットのうち前記トリガ情報に対応する操作命令を決定し、前記操作命令に対応するイベントを実行するステップは、
　前記ジェスチャ動作が含まれていると判断・通知された場合、前記所定の操作命令セットに基づいて前記ジェスチャ動作に対応する操作命令を決定し、前記ジェスチャ動作に対応する操作命令に従って対応するイベントを実行するステップを含む、
　ことを特徴とする請求項１に記載の音声及びビデオ通話のためのインタラクティブ制御方法。
　　【請求項４】
　ユーザと１つ又は複数の他のユーザとの音声通話及びビデオ通話の経過において、ユーザの入力されたユーザ行動データをモニタリングし、ユーザにより音声方式及びジェスチャ方式を含む所定の方式で入力されたユーザ行動データを取得する取得モジュールと、
　前記ユーザ行動データに所定のトリガ情報が含まれているか否かを決定する判断モジュールと、
　前記トリガ情報が含まれていると判断・通知された場合、所定の操作命令セットのうち前記トリガ情報に対応する操作命令を決定し、前記操作命令に対応するイベントを実行する処理モジュールと、を含み、
　
前記トリガ情報は、キーワードを含み、
　
前記取得モジュールは、
　
カメラにより採取されたビデオ情報を取得し、
　
ビデオ認識アルゴリズムに基づいて前記ビデオ情報を認識して、前記ビデオ情報の認識結果を前記ユーザ行動データとして生成し、前記認識結果は、前記ビデオ情報における物の特徴情報を含み、
　
前記判断モジュールは、
　
前記ユーザ行動データに前記物の特徴情報により決定された所定の前記キーワードが含まれているか否かを判断し、
　
前記処理モジュールは、
　
前記キーワードが含まれていると判断・通知された場合、サーバが前記キーワードに対応する推薦情報を取得するように、前記キーワードを前記サーバに送信し、前記サーバから返信された前記推薦情報を受信し、前記推薦情報をユーザに提供するという前記キーワードに対応する操作命令を決定し、前記キーワードに対応する操作命令に従ってイベントを実行する、
　ことを特徴とする音声及びビデオ通話のためのインタラクティブ制御装置。
　　【請求項５】
　前記トリガ情報は、トリガ語と動作操作語とを含み、
　前記判断モジュールは、
　前記ユーザ行動データに所定の前記トリガ語が含まれているか否かを判断し、
　前記トリガ語が含まれていると判断・通知された場合、前記ユーザ行動データに所定の前記動作操作語が含まれているか否かをさらに判断し、
　前記処理モジュールは、
　前記動作操作語が含まれていると判断・通知された場合、前記所定の操作命令セットに基づいて前記動作操作語に対応する操作命令を決定し、前記操作語に対応する操作命令に対応するイベントを実行する、
　ことを特徴とする請求項
４
　　【請求項６】
　前記トリガ情報は、トリガジェスチャ動作とジェスチャ操作とを含み、
　前記取得モジュールは、
　カメラによって前記ユーザにより入力されたユーザ行動データを取得し、
　前記判断モジュールは、
　前記ユーザ行動データに所定の前記トリガジェスチャ動作が含まれているか否かを判断し、
　前記トリガジェスチャ動作が含まれていると判断・通知された場合、前記ユーザ行動データに所定のジェスチャ操作が含まれているか否かをさらに判断し、
　前記処理モジュールは、
　前記ジェスチャ動作が含まれていると判断・通知された場合、前記所定の操作命令セットに基づいて前記ジェスチャ動作に対応する操作命令を決定し、前記ジェスチャ動作に対応する操作命令に従って対応するイベントを実行する、
　ことを特徴とする請求項
４
　　【請求項７】
　一つ又は複数のプロセッサと、
　メモリと、
　一つ又は複数のモジュールと、を含み、
　前記一つ又は複数のモジュールは、前記メモリに格納され、前記一つ又は複数のプロセッサによって実行される場合に、
　ユーザと１つ又は複数の他のユーザとの音声通話及びビデオ通話の経過において、ユーザの入力されたユーザ行動データをモニタリングし、ユーザにより音声方式及びジェスチャ方式を含む所定の方式で入力されたユーザ行動データを取得する操作と、
　前記ユーザ行動データに所定のトリガ情報が含まれているか否かを決定する操作と、
　前記トリガ情報が含まれていると判断・通知された場合、所定の操作命令セットのうち前記トリガ情報に対応する操作命令を決定し、前記操作命令に対応するイベントを実行する操作と、を行
い
　
前記トリガ情報は、キーワードを含み、
　
前記取得する操作は、
　
カメラにより採取されたビデオ情報を取得し、
　
ビデオ認識アルゴリズムに基づいて前記ビデオ情報を認識して、前記ビデオ情報の認識結果を前記ユーザ行動データとして生成し、前記認識結果は、前記ビデオ情報における物の特徴情報を含み、
　
前記決定する操作は、
　
前記ユーザ行動データに前記物の特徴情報により決定された所定の前記キーワードが含まれているか否かを判断し、
　
前記イベントを実行する操作は、
　
前記キーワードが含まれていると判断・通知された場合、サーバが前記キーワードに対応する推薦情報を取得するように、前記キーワードを前記サーバに送信し、前記サーバから返信された前記推薦情報を受信し、前記推薦情報をユーザに提供するという前記キーワードに対応する操作命令を決定し、前記キーワードに対応する操作命令に従ってイベントを実行する、
　ことを特徴とする音声及びビデオ通話のためのインタラクティブ制御装置。
　　【請求項８】
　請求項１〜
３
　ことを特徴とする記憶媒体。」
　なお、本件補正により、本件補正前の請求項１、１１が、本件補正前の請求項５に記載された事項等により減縮され、本件補正前の請求項６が、本件補正前の請求項１０に記載された事項等により減縮されるとともに、本件補正前の請求項４、５、９及び１０は削除された。よって、本件補正後の請求項１、２、３、４、５、６、７及び８はそれぞれ、本件補正前の請求項１、２、３、６、７、８、１１及び１２に対応するものであるとともに、本件補正後の請求項１、４及び７は、本件補正前の請求項５又は１０に記載された事項が取り込まれたものである。
第５　引用文献、引用発明等
１　引用文献１について
（１）引用文献１記載事項
　当審拒絶理由に引用された引用文献１には、図面とともに次の事項が記載されている。なお、下線は、強調のため当審が付与した。（以降においても同様。）
　また、当審訳としては、対応する日本語文献である特表２０１６−５３５３９４号公報の記載を採用した。
「[0001] The disclosed technology relates to an 
electronic device configured to use the device's own display to provide an illumination source for front-facing image sensors
［当審訳］
「［0001］開示されている技術は、
フロントフェーシング（front-facing）画像センサに対して照明源を提供するためにデバイス自身のディスプレイを使用するように構成された電子デバイス
「[0022] FIG.1B illustrates digital devices with front-facing image sensors and multiple users using the digital devices to exchange images or videos through a network according to another embodiment. The digital device 102A in use by a first user 120A includes a first front-facing image　sensor 110A and a first display device 104A configured to display a first illumination image. In this example, the illumination image includes a self-image 106A of the first user 102A captured by the first front-facing image sensor 110A in response to a command by the first user 120A. Analogously, the digital device 102B in use by a second user 120B includes a second front-facing image sensor 110B and a second display device 104B configured to display a second illumination image. In this example, the second illumination image includes a second self-image 106B of the second user 102B captured by the second front-facing image sensor 110B in response to a command by the second user 120B.
[0023] 
During use, such as a video call, the first display device 104A may be configured to brighten as the user 120a is in the call.
Similarly, the second display device 104b could be configured to brighten while the second user 120b was on a video call.
［当審訳］
「［0022］図１Ｂは、別の実施形態に従って、フロントフェーシング画像センサを有するデジタルデバイスと、ネットワークを通じて画像またはビデオを交換するためにデジタルデバイスを使用する複数のユーザとを図示している。第１のユーザ１２０Ａにより使用中のデジタルデバイス１０２Ａは、第１のフロントフェーシング画像センサ１１０Ａと、第１の照明画像を表示するように構成された第１のディスプレイデバイス１０４Ａとを含む。この例では、照明画像は、第１のユーザ１２０Ａによるコマンドに応答して、第１のフロントフェーシング画像センサ１１０Ａにより取り込まれた第１のユーザ１０２Ａの自己画像１０６Ａを含む。類似して、第２のユーザ１２０Ｂにより使用中のデジタルデバイス１０２Ｂは、第２のフロントフェーシング画像センサ１１０Ｂと、第２の照明画像を表示するように構成された第２のディスプレイデバイス１０４Ｂとを含む。この例では、第２の照明画像は、第２のユーザ１２０Ｂによるコマンドに応答して、第２のフロントフェーシング画像センサ１１０Ｂにより取り込まれた第２のユーザ１０２Ｂの第２の自己画像１０６Ｂを含む。
[0023]例えば
ビデオ通話などの使用中、第１のディスプレイデバイス１０４Ａは、ユーザ１２０ａが通話しているとき、明るくなるように構成されてもよい
同様に、第２のディスプレイデバイス１０４ｂは、第２のユーザ１２０ｂがビデオ通話をしていた間、明るくなるように構成されることができる
「[0027] 
The digital device 200 further includes the command input module 210 configured to receive various modes of command input from a user.
the command input module 210 can include any number of suitable input devices such as a voice recognition device, a gesture recognition device, a motion sensing device, a touch screen device, a keyboard device, and an auxiliary input/output(I/0) device, among others. The command input module can also include supporting circuitry to transform physical input signals such as a voice wave or a motion into digital signals.
［当審訳］
「[0027]
デジタルデバイス２００は、ユーザから入力された様々なモードのコマンドを受信するように構成されたコマンド入力モジュール２１０をさらに含む
コマンド入力モジュール２１０は、とりわけ、音声認識デバイス、ジェスチャ認識デバイス、動き感知デバイス、タッチスクリーンデバイス、キーボードデバイス、補助入力／出力（Ｉ／Ｏ）デバイスのようないくつかの適切な入力デバイスを含むことができる。コマンド入力モジュールは、音声波または動きのような物理的な入力信号をデジタル信号に変えるために補助回路を含むこともできる
「[0032] 
The illumination adjustment module 230 may be configured to adjust the illumination conditions of the display device to and from an imaging illumination condition and a normal viewing illumination condition, in response to a command received from a user.
［当審訳］
「[0032]
照明調整モジュール２３０は、ユーザから受信したコマンドに応答して、ディスプレイデバイスの照明条件を、画像化照明条件から通常のビューイング照明条件へと、および、通常のビューイング照明条件から画像化照明条件へと調整するように構成されてもよい
「FIG.1B 
」
　上記[0022]及び[0023]を参照すると、上掲のＦＩＧ．１Ｂ（図１Ｂ）には、デジタルデバイス１０２Ａを使用するユーザ１２０ａとデジタルデバイス１０２Ｂを使用するユーザ１２０ｂとが、ネットワーク１３０を介してビデオ通話をする例が記載されているといえる.
（２）引用発明１
　前記（１）より、上記引用文献１には、電子デバイス（デジタルデバイス）の制御方法が記載されているといえる。
　よって、上記引用文献１には次の発明（以下、「引用発明１」という。）が記載されていると認められる。
「　フロントフェーシング（front- facing）画像センサに対して照明源を提供するためにデバイス自身のディスプレイを使用するように構成された電子デバイスの制御方法であって、
　デジタルデバイス１０２Ａを使用するユーザ１２０ａとデジタルデバイス１０２Ｂを使用するユーザ１２０ｂとが、ネットワーク１３０を介してビデオ通話をする例において、
　ビデオ通話などの使用中、第１のディスプレイデバイス１０４Ａは、ユーザ１２０ａが通話しているとき、明るくなるように構成されてもよく、同様に、第２のディスプレイデバイス１０４ｂは、第２のユーザ１２０ｂがビデオ通話をしていた間、明るくなるように構成されることができ、
　デジタルデバイス２００は、ユーザから入力された様々なモードのコマンドを受信するように構成されたコマンド入力モジュール２１０をさらに含み、コマンド入力モジュール２１０は、とりわけ、音声認識デバイス、ジェスチャ認識デバイス、動き感知デバイス、タッチスクリーンデバイス、キーボードデバイス、補助入力／出力（Ｉ／Ｏ）デバイスのようないくつかの適切な入力デバイスを含むことができ、音声波または動きのような物理的な入力信号をデジタル信号に変えるために補助回路を含むこともでき、
　照明調整モジュール２３０は、ユーザから受信したコマンドに応答して、ディスプレイデバイスの照明条件を、画像化照明条件から通常のビューイング照明条件へと、および、通常のビューイング照明条件から画像化照明条件へと調整するように構成されてもよい、
　電子デバイスの制御方法。」
２　引用文献２について
（１）引用文献２記載事項
　当審拒絶理由に引用された引用文献２には、図面とともに次の事項が記載されている。
「【０００８】
そこで、この発明の課題は、発言権の取得や移譲を、容易に、かつ円滑に行うことができる
ビデオチャット会議室を実現する多地点通信システム
不特定多数で行うコミュニケーションに特化した付加価値の高いサービスを実現することをも目的とする
「【００２１】
【発明の実施の形態】
＜基本構成＞
図１はこの発明の一の実施の形態に係る
多地点通信システム
は、複数の仮想チャットルーム２（２Ａ〜２Ｄ）を実現する基地局１と、当該基地局１とインターネットなどのネットワーク３（３Ａ〜３Ｄ）を介して接続され、ステージ４（４Ａ，４Ｂ）を構成し双方向通信により映像および音声を送受信して情報交換を行う参加端末局５（５Ａ〜５Ｆ）と、オーディエンス６（６Ａ，６Ｂ）を構成し片方向通信によりステージ４で行われる映像および音声を受信する傍聴端末局７（７Ａ〜７Ｆ）と、から構成され
「【００２８】
基地局１は、コンピュータ装置を基本に構成され、
基地局１の上記各機能は、専用のソフトウェアプログラムにより実現されるが、基地局１は１台のコンピュータ装置で構成される態様に限らず、複数台のコンピュータ装置を利用して、通信やデータ処理に係る負荷を分担する態様であっても構わない
【００２９】
端末局５，７は、
コンピュータ装置を基本として、これに接続されたカメラ２０、マイクロフォン２１およびスピーカー２２などの映像および音声の入出力装置から構成され
「【００７２】
＜多目的情報交換ボード＞
本システムで利用するユーザーインターフェース２６上には、
多目的情報交換ボード（多目的情報交換手段）４３が備えられ
この多目的情報交換ボード４３上は、ウェブページの他、画像や映像を表示し、この表示内容をビデオチャットの参加者間で共有するという機能を有する
具体的には、例えば、多目的情報交換ボード４３上に、表示したウェブページ、画像、映像、文字などを、基地局１を介して、全ての、または特定の、参加端末局５に表示させ、情報を共有しながらビデオチャットによる情報交換を進めることができ
【００７３】
このように多目的情報交換ボード４３を利用することで、従来の単なる映像および音声のみを送受信するビデオチャットや文字のみによるチャットとは異なり、ウェブページ、画像、映像など扱える情報の種類および量が飛躍的に向上する。そして、これらの情報を利用した情報交換を進めることで、従来は不可能であったコミュニケーションやサービスを実現することが可能である。」
「【００７７】
＜広告配信機能＞
本システムは、広告配信機能（広告配信手段）を有し、ユーザーインターフェース２６上には、
広告表示領域４９が設けられ、ビデオチャットの開催中には、当該領域に、各種の広告が表示され
…（中略）…
【００８０】
広告配信機能は、
仮想チャットルーム２のタイトル、話題、およびテーマなどを基に選択された関連広告が表示される態様であっても構わない
【００８１】
さらに、広告配信機能は、ビデオチャットで行われる情報交換の内容をリアルタイムに反映して行われる態様であっても構わない
例えば、
ビデオチャットを実施しているユーザーインターフェース２６上において、多目的情報交換ボード４３を利用して表示された文字列を、基地局１が検知し、この文字列をもとに検索エンジン部１７で、各種の広告表示に係る情報が格納されているウェブコンテンツデータベース１７の内容を検索し、その結果を関連広告として、基地局１から各端末局５，７へ送信し、各端末局５，７の広告表示領域４９、または空いている映像表示領域４１に表示する
「【図９】
」
（２）引用発明２
　前記（１）より、引用文献２には、「多地点通信システムの制御方法」が記載されているといえる。
　よって、引用文献２には、次の発明（以下、「引用発明２」という。）が記載されていると認められる。
「　不特定多数で行うコミュニケーションに特化した付加価値の高いサービスを実現することをも目的とするビデオチャット会議室を実現する多地点通信システムの制御方法であって、
　多地点通信システムは、複数の仮想チャットルーム２（２Ａ〜２Ｄ）を実現する基地局１と、当該基地局１とインターネットなどのネットワーク３（３Ａ〜３Ｄ）を介して接続され、ステージ４（４Ａ，４Ｂ）を構成し双方向通信により映像および音声を送受信して情報交換を行う参加端末局５（５Ａ〜５Ｆ）と、オーディエンス６（６Ａ，６Ｂ）を構成し片方向通信によりステージ４で行われる映像および音声を受信する傍聴端末局７（７Ａ〜７Ｆ）と、から構成され、
　基地局１は、コンピュータ装置を基本に構成され、基地局１の上記各機能は、専用のソフトウェアプログラムにより実現されるが、基地局１は１台のコンピュータ装置で構成される態様に限らず、複数台のコンピュータ装置を利用して、通信やデータ処理に係る負荷を分担する態様であってもよく、
　端末局５、７は、コンピュータ装置を基本として、これに接続されたカメラ２０、マイクロフォン２１およびスピーカー２２などの映像および音声の入出力装置から構成され、
　本システムで利用するユーザーインターフェース２６上には、多目的情報交換ボード（多目的情報交換手段）４３が備えられ、この多目的情報交換ボード４３上は、ウェブページの他、画像や映像を表示し、この表示内容をビデオチャットの参加者間で共有するという機能を有し、具体的には、例えば、多目的情報交換ボード４３上に、表示したウェブページ、画像、映像、文字などを、基地局１を介して、全ての、または特定の、参加端末局５に表示させ、情報を共有しながらビデオチャットによる情報交換を進めることができ、
　本システムは、広告配信機能（広告配信手段）を有し、ユーザーインターフェース２６上には、広告表示領域４９が設けられ、ビデオチャットの開催中には、当該領域に、各種の広告が表示され、
　広告配信機能は、仮想チャットルーム２のタイトル、話題、およびテーマなどを基に選択された関連広告が表示される態様であってもよく、さらに、広告配信機能は、ビデオチャットで行われる情報交換の内容をリアルタイムに反映して行われる態様であってもよく、例えば、ビデオチャットを実施しているユーザーインターフェース２６上において、多目的情報交換ボード４３を利用して表示された文字列を、基地局１が検知し、この文字列をもとに検索エンジン部１７で、各種の広告表示に係る情報が格納されているウェブコンテンツデータベース１７の内容を検索し、その結果を関連広告として、基地局１から各端末局５，７へ送信し、各端末局５，７の広告表示領域４９、または空いている映像表示領域４１に表示する、
　多地点通信システムの制御方法。」
３　引用文献３について
　当審拒絶理由に引用された引用文献３には、図面とともに次の事項が記載されている。
「【０００３】
【発明が解決しようとする課題】ところで、このテレビ電話システムに類似する技術としては、
インターネットを介したチャットシステム
、チャットグループ内の話題に関連する広告を各チャットクライアントのウインドウ内に表示する
チャットサーバーが存在し、チャットサーバーがチャットの内容から話題の推定処理を行い、話題に関連した広告をウインドウ内に表示させる
サーバーを介していないテレビ電話システム
【０００４】本発明はこのような事情に鑑みなされたもので、その目的はテレビ電話端末によって接続されたグループの話題に基づいて、予めセンターより配信されて蓄積されている動画情報や静止画情報等の広告をサーバーを介さずにディスプレイ上に表示することができるテレビ電話端末を用いた広告提供方法を提供するものである。」
「【００１２】本発明のテレビ電話端末は、
相手端末側から音声情報と共に送られて来る画像情報をディスプレイ上に表示しながら会話を交わすテレビ電話端末において、前記相手端末との間で交わされた会話の音声情報内から特定のキーワードを抽出するキーワード抽出部と、予めセンターより配信された動画情報や静止画情報等の広告用の情報が蓄積されている表示情報蓄積部と、前記キーワード抽出部により抽出された前記キーワードに基づいて前記表示情報蓄積部内から関連情報を検索し、検索された前記関連情報を広告用のパターン情報に組み立て、その組み立てられた広告パターン情報を前記ディスプレイに表示させるための信号を出力する表示情報作成部とを備え
　以上より、引用文献３には、以下の技術事項（以下、「引用文献３記載事項」という。）が記載されているといえる。
［引用文献３−１記載事項］
「　インターネットを介したチャットシステムにおいて、
　チャットサーバーが存在し、チャットサーバーがチャットの内容から話題の推定処理を行い、話題に関連した広告を各チャットクライアントのウインドウ内に表示させること。」
［引用文献３−２記載事項］
「　サーバーを介していないテレビ電話システムにおいて、
　相手端末側から音声情報と共に送られて来る画像情報をディスプレイ上に表示しながら会話を交わすテレビ電話端末において、前記相手端末との間で交わされた会話の音声情報内から特定のキーワードを抽出するキーワード抽出部と、予めセンターより配信された動画情報や静止画情報等の広告用の情報が蓄積されている表示情報蓄積部と、前記キーワード抽出部により抽出された前記キーワードに基づいて前記表示情報蓄積部内から関連情報を検索し、検索された前記関連情報を広告用のパターン情報に組み立て、その組み立てられた広告パターン情報を前記ディスプレイに表示させるための信号を出力する表示情報作成部とを備えること。」
４　引用文献４（引用文献Ａ）について
　当審拒絶理由に引用された引用文献４（原査定の引用文献Ａ）には、図面とともに次の事項が記載されている。なお、当審訳には、引用文献４に対応する日本語の文献である特表２０１６−５３３６９０号公報の記載を採用し、参照のため、段落番号を含めたままで記載した。
「[0010] After joining the virtual assistant to a voice communication, one or both of the users on the voice communication may invoke the virtual assistant when the respective user desires the assistance of the virtual assistant. A user may invoke the assistant in a number of ways. For instance, a user may speak a predefined utterance ( e.g., word, phrase, sound, or a combination thereof) that, when identified by the computing device hosting the virtual assistant, causes the computing device to begin performing speech recognition on an audio signal representing the audio of the voice communication for the purpose of identifying a voice command. For instance, 
when the virtual assistant is on the voice communication but not invoked, the virtual assistant may simply monitor an audio signal representing the audio of the voice communication for the predefined utterance, but might not perform further speech recognition on the audio signal representing the audio
Upon identifying a keyword match (or a similarity between a stated word or phrase and the predefined utterance that is greater than a threshold), the virtual assistant may begin performing speech recognition on the audio signal representing the audio of the voice communication to identify subsequent voice commands
［当審訳］
「【０００６】
　バーチャルアシスタントが音声通信に参加した後、音声通信上のユーザのうち1人または両方は、各自がバーチャルアシスタントの支援を望む時に、バーチャルアシスタントを呼び出してもよい。ユーザは様々な方法でアシスタントを呼び出してもよい。例えば、ユーザが所定の発言（例えば言葉、表現、音声、またはそれらの組み合わせ）を話すことで、その発言がバーチャルアシスタントをホストするコンピューティング装置によって識別される時、音声指示識別の目的で、コンピューティング装置に音声通信の音声を表わす音声信号において音声認識を実行開始させる。例えば、
バーチャルアシスタントが音声通信において参加してはいるが、呼び出しはされていない場合、バーチャルアシスタントは、所定の発言のために音声通信の音声を表わす音声信号を単純に監視しているが、音声を表わす音声信号上で音声認識をさらに実行するわけではない
キーワード一致（または定められた言葉または表現と、しきい値よりも大きい所定の発言との共通点）の識別で、バーチャルアシスタントは後続の音声指示を識別するために、音声通信の音声を表わす音声信号上で音声認識実行を開始する
「[0018] FIG. 1 shows an illustrative 
computing architecture 100 that includes a first user 102(1) using a device 104(1) to establish a voice communication with a device 104(2) of a second user 102(2) over a network106
The devices 104(1) and 104(2)
comprise any sort of computing device capable of maintain a voice communication between one another
a voice communication includes any type of communication in which audio is transferred between the user devices, including voice-only communications, audio/video communications, and the like
[0019] As illustrated, 
the architecture 100 may also include one or more remote computing resources 108 that may host a virtual assistant module110, which implements a virtual assistant configured for invocation by the first user 102(1) or the second user 102(2)
[0020] As illustrated, 
the remote computing resources 108 may be implemented as one or more servers 112(1), 112(2), . . . , 112(P)
［当審訳］
「【００１４】
　図１は、
ネットワーク１０６を通じて、第一ユーザ１０２（１）が第二ユーザ１０２（２）の装置１０４（２）と音声通信を確立するために装置１０４（１）を用いる
コンピューティングアーキテクチャ１００
装置１０４（１）及び１０４（２）
互いに音声通信を維持できるあらゆるコンピューティング装置を含ん
「音声通信」は、ユーザ装置間で送信される音声におけるあらゆるタイプの通信を含み、音声のみの通信、音声／映像の通信、などを含む
【００１５】
　図示されるように、
アーキテクチャ１００はさらに、バーチャルアシスタントモジュール１１０をホストする遠隔コンピューティングリソース１０８を1つ以上含ん
バーチャルアシスタントモジュール１１０は第一ユーザ１０２（１）または第二ユーザ１０２（２）によって起動されるよう構成されたバーチャルアシスタントを実装する
【００１６】
　図示されるように、
遠隔コンピューティングリソース１０８は、1つ以上のサーバー１１２（１）、１１２（２）、．．．１１２（Ｐ)として実装されてもよく、いくつかの例では、インターネットなどのネットワークを介して維持されアクセス可能であるプロセッサー、記憶装置、ソフトウェア、データアクセス、などのコンピューティングインフラストラクチャーとして実装される、一部のネットワークアクセス可能なコンピューティングプラットフォームの形体をしていてもよい。…（後略）」
「[0021] The servers 112(1)-(P) may include processor(s) 114 and memory116, which stores the virtual-assistant module 110. As illustrated,
 the virtual assistant module 110 stores or otherwise has access to a join module 118, an invocation module 120, a speech-recognition engine 122, a speaker identification (ID) module 124, and a response module 126
 The join module 118 functions to join the virtual assistant functionality (i.e., the components of the module 110) to a voice communication between the 
user devices 104(1) and 104(2)
[0022] In the illustrated example, upon the user 102(1) using the device104(1) to dial the number associated with the device 104(2), an application running on the device 104(1) may automatically dial the number associated with the virtual assistant module 110 for joining the module 110. For instance, FIG. 1 illustrates that the device 104(1) may include the virtual assistant module 110 for automatically dialing this number. In another example, meanwhile, the user 102(1) and/or the user 102(2) may manually conference in the computing resources 108 by adding a party to the voice communication and dialing the number associated with the computing resources 108. In either instance, the virtual assistant module 110 may receive an indication of an incoming phone call and may answer the incoming call to join the call.
[0023] 
After the virtual assistant module 110 joins the call, the invocation module 120 may monitor for a trigger to invoke other components of the module 110, such as the speech recognition engine 122
[0024] After receiving a request to invoke these components, the invocation module may invoke the speech-recognition engine 122. 
The speech-recognition engine 122 performs speech recognition on audio signals generated based on sound captured by the microphone of the user devices 104(1) and 104(2), such as utterances spoken by the users 102(1) and 102(2)
 The speaker-ID module 124
may identify an identity of a user speaking a voice command, via information provided by the voice network (e.g., ANI, CPN, etc.), voice recognition, a dialog with the user(s), an out-of-band communication with the user(s), or the like
[0025] 
The response module 126, meanwhile, may perform certain actions in response to recognizing different voice commands from an audio signal representing the audio of the voice communication
［当審訳］
「【００１７】
　サーバー１１２（１）〜（Ｐ)は、バーチャルアシスタントモジュール１１０を格納するプロセッサー１１４及びメモリ１１６を含んでもよい。図示されるように、
バーチャルアシスタントモジュール１１０は、参加モジュール１１８、起動モジュール１２０、音声認識エンジン１２２、話者識別（ＩＤ)モジュール１２４、応答モジュール１２６、を格納するかまたはアクセスできる
参加モジュール１１８は、バーチャルアシスタント機能（すなわちモジュール１１０の構成要素）を
ユーザ装置１０４（１）と１０４（２）間の音声通信に参加させる機能を持つ
【００１８】
　図示された実施例では、ユーザ１０２（１）が装置１０４（２）に関連する番号に電話をかけるために装置１０４（１）を使用する時、装置１０４（１）上で動作するアプリケーションは、モジュール１１０に参加するために自動的にバーチャルアシスタントモジュール１１０に関連する番号に電話をかけてもよい。例えば、図１は、この番号に自動的に電話をかけるためにバーチャルアシスタントモジュール１１０を含み得る装置１０４（１）を説明する。他の実施例では、一方で、音声通信に参加者を追加し、コンピューティングリソース１０８に関連する番号に電話をかけることで、ユーザ１０２（１）及び／またはユーザ１０２（２）は手動でコンピューティングリソース１０８に参加してもよい。どちらの例においても、バーチャルアシスタントモジュール１１０は着信表示を受信してもよく、通話に参加するために着信に「応答」してもよい。
【００１９】
　
バーチャルアシスタントモジュール１１０が通話に参加した後で、起動モジュール１２０は、音声認識エンジン１２２といったモジュール１１０の他のコンポーネントを起動するためにトリガーを監視し
【００２０】
　これらのコンポーネントを起動するために要求を受信した後で、起動モジュールは音声認識エンジン１２２を起動してもよい。
音声認識エンジン１２２は、ユーザ１０２（１）及び１０２（２）が話した発言といった、ユーザ装置１０４（１）及び１０４（２）のマイクロフォンで捕えた音声に基づき生成された音声信号上で音声認識を実行する
話者識別モジュール１２４は
音声ネットワーク（例えばＡＮＩ、ＣＰＮ等）、音声認識、ユーザとの対話、ユーザとの帯域外通信、などによって供給される情報を介して、音声指示を出すユーザの同定を識別し
【００２１】
　
応答モジュール１２６は一方で、音声通信の音声を表わす音声信号からの異なる音声指示を認識することに応じて特定の行動を実行し
「[0028] To provide 
an example
 the users 102(1) and 102(2) engaging in a voice communication, which the virtual assistant module 110 joins
the user 102(2) states the following: I'm excited to fly there tomorrow. What is the temperature going to be?
the user 102(1) states the following at 128(2): I don't know. Virtual assistant, what is the temperature supposed to be tomorrow?
in response to identifying the predefined phrase virtual assistant, the invocation module 120 invokes the speech-recognition engine 122, which identifies the voice command from 128(2)
 The speaker-ID module 12
 The response module 126 then uses this identification to determine a geographical location at which to check the temperature (i.e., the location of the user 102(1)), checks the forecast for the following day at that location and
outputs the following to both devices: The high temp in Seattle tomorrow is 72 degrees
［当審訳］
「【００２４】
　
実施例
バーチャルアシスタントモジュール１１０が参加する音声通信に関与するユーザ１０２（１）及び１０２（２）
ユーザ１０２（２）が
発言する「明日、そちらに伺うことを楽しみにしております。気温は何度になりそうでしょうか？」と、ユーザ１０２（１）は
発言する「わかりません。バーチャルアシスタント、明日の気温は何度になりそうですか？」
「バーチャルアシスタント」という所定の表現を識別することに応じて、起動モジュール１２０が１２８（２）からの音声指示を識別する音声認識エンジン１２２を起動する
話者識別モジュール１２４は
ユーザ１０２（１）を識別する
応答モジュール１２６はその後、気温を調べる地理的位置（すなわちユーザ１０２（１）の位置）を判断するためにこの識別を利用し、その位置の翌日の天気予報を確認し
両方の装置へ
出力する
シアトルの明日の最高気温は７２度です。」
「[0032] FIG. 4 depicts a flow diagram of 
an example process 400 that the virtual assistant module 110 may implement
[0033] The computer-readable media may include non-transitory computer-readable storage media, which may include hard drives, floppy diskettes, optical disks, CD-ROMs, DV Ds, read-only memories (ROMs), random access memories (RAMs), EPROMs, EEPROMs, flash memory, magnetic or optical cards, solid-state memory devices, or other types of storage media suitable for storing electronic instructions. In addition, in some embodiments the computer-readable media may include a transitory computer readable signal (in compressed or uncompressed form). Examples of computer-readable signals, whether modulated using a carrier or not, include, but are not limited to, signals that a computer system hosting or running a computer program can be configured to access, including signals downloaded through the Internet or other networks. Finally, the order in which the operations are described is not intended to be construed as a limitation, and any number of the described operations can be combined in any order and/or in parallel to implement the process.
[0034] The process 400 includes,
 at 402, joining a virtual assistant to a voice communication established between a device of a first user and a device of a second user
At 404, the virtual assistant may identify a predefined utterance from within audio of the voice communication
in response, may invoke itself at 406
thus readying itself to identify subsequent voice commands within the audio of the voice communication
[0035] 
At 408, the virtual assistant may begin performing speech recognition on an audio signal representing audio of the voice communication, given that the virtual assistant has been invoked
At 410, the assistant may identify a voice command from the audio signal representing the audio
In response, the virtual assistant may, at 412, perform a task associated with the voice command and may provide an audio signal effective to output audible content to both user devices at 414
［当審訳］
「【００２８】
　図４は、
バーチャルアシスタントモジュール１１０が実行される過程４００の実施例
【００２９】
　コンピューター読取可能なメディアは、ハードドライブ、フロッピーディスク、光学ディスク、ＣＤ-ＲＯＭ、ＤＶＤ、リードオンリーメモリー（ＲＯＭ）、ランダムアクセスメモリー（ＲＡＭ)、ＥＰＲＯＭ、ＥＥＰＲＯＭ、フラッシュメモリー、磁気または光学カード、固体メモリー装置、または電子指示を格納するために好適な他のタイプの記憶媒体を含む、持続性のコンピューター読取可能なメディアを含んでもよい。さらに、いくつかの実施形態では、コンピューター読取可能なメディアは、一過性のコンピューター読取可能な信号（圧縮または非圧縮形体）を含んでもよい。コンピューター読取可能な信号の実施例は、キャリアを用いて調整されるか、されないかにかかわらず、コンピュータープログラムをホストするかまたは実行するコンピューターシステムがアクセスするように構成された信号に限定されるものではなく、インターネットまたは他のネットワークを通じてダウンロードされた信号を含む。最後に、記述された動作の順番は、限定として解釈されることを意図しておらず、記述された動作のいくつでもあらゆる順番及び／または過程の実行と平行して、組み合わされてもよい。
【００３０】
　過程４００は、
４０２において、第一ユーザの装置と第二ユーザの装置間に確立された音声通信に、バーチャルアシスタントを参加させる
４０４では、バーチャルアシスタントは音声通信の音声内から所定の発言を識別し
それに応じて、４０６にて自身を参加させ
、これにより音声通信の音声内で後続の音声指示を識別するために自身を待機させる
【００３１】
　
４０８では、バーチャルアシスタントが呼び出されたならば、バーチャルアシスタントは音声通信の音声を表わす音声信号において音声認識を実行開始し
４１０では、アシスタントは音声を表わす音声信号から音声指示を識別し
それに応じて、バーチャルアシスタントは、４１２で音声指示に関連するタスクを実行し、４１４でユーザ装置の両方に可聴コンテンツを効果的に出力する音声信号を供給し
「FIG.2A
」
［当審訳］(当審注：FIG.2A中、○囲いの数字（以下では、「1」、「2」…と記す。）に付随する部分のみ訳す。)
「1ユーザが遠隔ユーザに電話をかける。
2ユーザの装置上のアプリケーションが、自動的に遠隔ユーザと「バーチャルアシスタント」に電話をかける。
3遠隔ユーザが遠隔ユーザと通話中のバーチャルアシスタントの両方に応答する。」
「FIG.4
」    
［当審訳］
「【図４】
」
　以上より、引用文献４には、以下の技術事項（以下、「引用文献４記載事項」という。）が記載されているといえる。
「　「ネットワーク１０６を通じて、第一ユーザ１０２（１）が第二ユーザ１０２（２）の装置１０４（２）と音声通信を確立するために装置１０４（１）を用いるコンピューティングアーキテクチャ１００であって、
　装置１０４（１）及び１０４（２）は、互いに音声通信を維持できるあらゆるコンピューティング装置を含み、「音声通信」は、ユーザ装置間で送信される音声におけるあらゆるタイプの通信を含み、音声のみの通信、音声／映像の通信、などを含み、
　アーキテクチャ１００はさらに、バーチャルアシスタントモジュール１１０をホストする遠隔コンピューティングリソース１０８を1つ以上含み、バーチャルアシスタントモジュール１１０は第一ユーザ１０２（１）または第二ユーザ１０２（２）によって起動されるよう構成されたバーチャルアシスタントを実装し、遠隔コンピューティングリソース１０８は、1つ以上のサーバー１１２（１）、１１２（２）、．．．１１２（Ｐ)として実装され、
　バーチャルアシスタントモジュール１１０は、参加モジュール１１８、起動モジュール１２０、音声認識エンジン１２２、話者識別（ＩＤ）モジュール１２４、応答モジュール１２６、を格納するかまたはアクセスでき、
　参加モジュール１１８は、バーチャルアシスタント機能（すなわちモジュール１１０の構成要素）をユーザ装置１０４（１）と１０４（２）間の音声通信に参加させる機能を持ち、
　バーチャルアシスタントモジュール１１０が通話に参加した後で、起動モジュール１２０は、音声認識エンジン１２２といったモジュール１１０の他のコンポーネントを起動するためにトリガーを監視し、
　音声認識エンジン１２２は、ユーザ１０２（１）及び１０２（２）が話した発言といった、ユーザ装置１０４（１）及び１０４（２）のマイクロフォンで捕えた音声に基づき生成された音声信号上で音声認識を実行し、
　話者識別モジュール１２４は、音声ネットワーク（例えばＡＮＩ、ＣＰＮ等）、音声認識、ユーザとの対話、ユーザとの帯域外通信、などによって供給される情報を介して、音声指示を出すユーザの同定を識別し
　応答モジュール１２６は一方で、音声通信の音声を表わす音声信号からの異なる音声指示を認識することに応じて特定の行動を実行し、
　バーチャルアシスタントモジュール１１０が参加する音声通信に関与するユーザ１０２（１）及び１０２（２）の実施例においては、ユーザ１０２（２）が「明日、そちらに伺うことを楽しみにしております。気温は何度になりそうでしょうか？」と発言し、ユーザ１０２（１）は「わかりません。バーチャルアシスタント、明日の気温は何度になりそうですか？」と発言すると、「バーチャルアシスタント」という所定の表現を識別することに応じて、起動モジュール１２０が音声指示を識別する音声認識エンジン１２２を起動し、話者識別モジュール１２４は、ユーザ１０２（１）を識別し、応答モジュール１２６はその後、気温を調べる地理的位置（すなわちユーザ１０２（１）の位置）を判断するためにこの識別を利用し、その位置の翌日の天気予報を確認し、両方の装置へ「シアトルの明日の最高気温は７２度です。」と出力し、
　バーチャルアシスタントモジュール１１０が実行される過程４００の実施例は、４０２において、第一ユーザの装置と第二ユーザの装置間に確立された音声通信に、バーチャルアシスタントを参加させ、４０４では、バーチャルアシスタントは音声通信の音声内から所定の発言を識別し、それに応じて、４０６にて自身を参加させ、これにより音声通信の音声内で後続の音声指示を識別するために自身を待機させ、４０８では、バーチャルアシスタントが呼び出されたならば、バーチャルアシスタントは音声通信の音声を表わす音声信号において音声認識を実行開始し、４１０では、アシスタントは音声を表わす音声信号から音声指示を識別し、それに応じて、バーチャルアシスタントは、４１２で音声指示に関連するタスクを実行し、４１４でユーザ装置の両方に可聴コンテンツを効果的に出力する音声信号を供給し、
　バーチャルアシスタントが音声通信において参加してはいるが、呼び出しはされていない場合、バーチャルアシスタントは、所定の発言のために音声通信の音声を表わす音声信号を単純に監視しているが、音声を表わす音声信号上で音声認識をさらに実行するわけではく、キーワード一致（または定められた言葉または表現と、しきい値よりも大きい所定の発言との共通点）の識別で、バーチャルアシスタントは後続の音声指示を識別するために、音声通信の音声を表わす音声信号上で音声認識実行を開始する、
　コンピューティングアーキテクチャ１００。」
５　引用文献５（引用文献Ｂ）について
　当審拒絶理由に引用された引用文献５（原査定の引用文献Ｂ）には、図面とともに次の事項が記載されている。
「【請求項２２】
　
電子機器の制御を行う制御方法であって、　特定の物体を被写体とした映像信号を継続的に取得するステップと、
　取得した映像信号から前記特定の物体の特定の形状および動きのうち少なくとも一方によって表象される予備指示を認識するステップと、
　前記予備指示を認識したことに応じ、前記制御指示を受け付ける指示モードを設定するステップと、
　前記指示モードを設定したことに応じ、前記予備指示を認識した領域を追従した上、前記追従した領域から前記電子機器の制御に関する制御指示を認識するステップと、
　前記制御指示に基づいて前記電子機器の制御を行うステップと、　を含む制御方法
「【００４０】
　図１は本発明の好ましい実施形態に係る
映像音声通信システム
通信端末１ａと通信端末１ｂとがインターネットなどのネットワーク１０を介して接続され
互いに映像と音声を送受信する
「【０１６３】
　以下、
通信端末１を介した操作の具体的例
【０１６４】
　まず、上述のようにして、対象物認識部２０４は、動作エリアをロックオンした後、
コマンド分析部２０５は、ロックオンされた動作エリアから第１の予備動作を認識する。第１の予備動作は、人差し指を左右に振る動作（図１５（ａ））である
【０１６５】
　コマンド分析部２０５は、第１の予備動作を認識すると、発光制御部２４に対し、フラッシュランプ６７の所定時間の点滅を指示し、この指示に応じてフラッシュランプ６７が所定時間点灯する。
【０１６６】
　一方、
表示制御部１１は、コマンド分析部２０５が第１の予備動作を認識したことに応じ、スタンバイ状態のモニタ５に対し、メイン電源をオンする指令をＴＶコントロール信号のパケットとして送信する
【０１６７】
　次に、
コマンド分析部２０５は、ロックオンされた動作エリアから第２の予備動作を認識する
【０１６８】
　
コマンド分析部２０５は、図１５（ｃ）〜（ｈ）に示すように、指を順次立てて、通信モードを示す３桁の数字（「３」、「２」、「１」等）を示し、その後「ＯＫ」を示す動作を認識すると、これを通信端末１同士の映像音声通信に関する操作メニューへの移行を指示する意図的な第２の予備動作と解釈する
【０１６９】
　
この場合、表示制御部１１ｄは、通信端末用操作メニュー画面（図２１参照）の映像を生成し、映像の入力元を通信端末１に切り替える旨を指令するＴＶコントロール信号を、当該映像と多重化したパケットをモニタ５に送出する
「【０１７４】
　
コマンド分析部２０５は、第２の予備動作の認識後、ロックオンされた動作エリアからメニュー選択指示動作を認識する
「【０１７７】
　
ここで、コマンド分析部２０５が、動作エリアから右回りの回転運動の軌跡を認識すると、表示制御部１１ｄは、上から下に向けて順次メニュー項目をハイライト表示する。あるいは、コマンド分析部２０５が、動作エリアから左回りの回転運動の軌跡を認識すると、表示制御部１１ｄは、下から上に向けて順次メニュー項目をハイライト表示する
「【図１５】
」
　よって、引用文献５（引用文献Ｂ）には、次の技術事項（以下、「引用文献５記載事項」という。）が記載されていると認められる。
「　通信端末１ａと通信端末１ｂとがインターネットなどのネットワーク１０を介して接続され、互いに映像と音声を送受信する映像音声通信システムにおける電子機器の制御方法であって、
　特定の物体を被写体とした映像信号を継続的に取得するステップと、
　取得した映像信号から前記特定の物体の特定の形状および動きのうち少なくとも一方によって表象される予備指示を認識するステップと、
　前記予備指示を認識したことに応じ、前記制御指示を受け付ける指示モードを設定するステップと、
　前記指示モードを設定したことに応じ、前記予備指示を認識した領域を追従した上、前記追従した領域から前記電子機器の制御に関する制御指示を認識するステップと、
　前記制御指示に基づいて前記電子機器の制御を行うステップと、
　を含む制御方法であって、
　通信端末１を介した操作の具体的例は、
　コマンド分析部２０５は、ロックオンされた動作エリアから第１の予備動作を認識し、第１の予備動作は、人差し指を左右に振る動作（図１５（ａ））であり、
　表示制御部１１は、コマンド分析部２０５が第１の予備動作を認識したことに応じ、スタンバイ状態のモニタ５に対し、メイン電源をオンする指令をＴＶコントロール信号のパケットとして送信し、
　コマンド分析部２０５は、ロックオンされた動作エリアから第２の予備動作を認識し、コマンド分析部２０５は、図１５（ｃ）〜（ｈ）に示すように、指を順次立てて、通信モードを示す３桁の数字（「３」、「２」、「１」等）を示し、その後「ＯＫ」を示す動作を認識すると、これを通信端末１同士の映像音声通信に関する操作メニューへの移行を指示する意図的な第２の予備動作と解釈し、
　この場合、表示制御部１１ｄは、通信端末用操作メニュー画面の映像を生成し、映像の入力元を通信端末１に切り替える旨を指令するＴＶコントロール信号を、当該映像と多重化したパケットをモニタ５に送出し、
　コマンド分析部２０５は、第２の予備動作の認識後、ロックオンされた動作エリアからメニュー選択指示動作を認識し、
　ここで、コマンド分析部２０５が、動作エリアから右回りの回転運動の軌跡を認識すると、表示制御部１１ｄは、上から下に向けて順次メニュー項目をハイライト表示する。あるいは、コマンド分析部２０５が、動作エリアから左回りの回転運動の軌跡を認識すると、表示制御部１１ｄは、下から上に向けて順次メニュー項目をハイライト表示する、
制御方法。」
６　引用文献Ｃについて
　原査定に引用された引用文献Ｃには、図面とともに次の事項が記載されている。
「【請求項１】
被写体を撮影して撮像データを生成する撮像手段と、
前記撮像手段が生成した前記撮像データから前記被写体の形態的特徴量を検索する検索手段
前記検索手段が検索した前記被写体の形態的特徴量の中から輪郭を検出する輪郭検出手段
前記輪郭検出手段により検出された前記輪郭を表す形態マーカを前記撮像データの前記被写体の輪郭位置に重畳表示する表示手段とを備えていることを特徴とする情報表示装置。
【請求項２】
前記撮像データの一部を検索対象画像として指定する検索画像指定手段
前記検索手段は、前記検索画像指定手段により指定された検索対象画像の中から前記形態的特徴量を検索する
「【０００１】
　本発明は、
使用者による景観の画像照会に答えて、景観の解説などの情報表示を行う情報表示装置
【背景技術】
【０００２】
　最近、観察した対象物をデジタルカメラにより撮像し、
撮像した画像に基づいてデータベースにて対象物が何かを画像検索して特定し、対象物の詳細情報を観察者に提供する観察機器
「【０００６】
　本発明の請求項１によれば、
検索画像を照会する場合は、山の稜線形状または花や昆虫などの輪郭形状や模様などの形態的特徴量をマーカで表示する
照会した対象画像または検索対象特徴量がどれであるか、表示画面で視認しやすい
第６　当審拒絶理由について
１　理由１（明確性要件違反）について
　本願請求項４、５、９及び１０は削除され、また、本件補正前の請求項５又は１０の記載内容が取り込まれた本件補正後の請求項１、４及び７の記載においては、「トリガ情報に対応する操作命令」は、「サーバが前記キーワードに対応する推薦情報を取得するように、前記キーワードを前記サーバに送信し、前記サーバから返信された前記推薦情報を受信し、前記推薦情報をユーザに提供するという前記キーワードに対応する操作命令」であることが明確となり、また、「操作命令に対応するイベント」は、「前記キーワードに対応する操作命令」に従って実行される「イベント」であることが明確となった。
　よって、理由１は、解消した。
２　理由２（新規性欠如）及び理由３（進歩性欠如）について
（１）引用文献１に基づく新規性欠如（理由２）及び進歩性欠如（理由３）について
ア　本願発明１について
（ア）対比
　本願発明１と引用発明１とを対比する。
a　引用発明１の「ユーザ１２０ａ」、「ユーザ１２０ｂ」、「ビデオ通話」はそれぞれ、本願発明１の「ユーザ」、「１つ又は複数の他のユーザ」、「音声通話及びビデオ通話」及び「音声及びビデオ通話」に相当する。
　また、引用発明１の「デジタルデバイス１０２Ａを使用するユーザ１２０ａとデジタルデバイス１０２Ｂを使用するユーザ１２０ｂとが、ネットワーク１３０を介してビデオ通話をする例」を備えるから、引用発明１の「ビデオ通話などの使用中」とは、本願発明１の「ユーザと１つ又は複数の他のユーザとの音声通話及びビデオ通話の経過において」に相当する。
ｂ　引用発明１は、
「ビデオ通話などの使用中、第１のディスプレイデバイス１０４Ａは、ユーザ１２０ａが通話しているとき、明るくなるように構成されてもよく、同様に、第２のディスプレイデバイス１０４ｂは、第２のユーザ１２０ｂがビデオ通話をしていた間、明るくなるように構成されることができ、
　デジタルデバイス２００は、ユーザから入力された様々なモードのコマンドを受信するように構成されたコマンド入力モジュール２１０をさらに含み、コマンド入力モジュール２１０は、とりわけ、音声認識デバイス、ジェスチャ認識デバイス、動き感知デバイス、タッチスクリーンデバイス、キーボードデバイス、補助入力／出力（Ｉ／Ｏ）デバイスのようないくつかの適切な入力デバイスを含むことができ、音声波または動きのような物理的な入力信号をデジタル信号に変えるために補助回路を含むこともでき、
　照明調整モジュール２３０は、ユーザから受信したコマンドに応答して、ディスプレイデバイスの照明条件を、画像化照明条件から通常のビューイング照明条件へと、および、通常のビューイング照明条件から画像化照明条件へと調整するように構成されてもよい、」
との構成を備えることから、引用発明１の「デジタルデバイス２００」（デジタルデバイス１０２Ａ及びデジタルデバイス１０２Ｂを含む「電子デバイス」）は、「ビデオ通話などの使用中」に、ユーザによって入力される「音波」、「動き」を、「コマンド入力モジュール２１０」に含まれる「音声認識デバイス」、「ジェスチャ認識デバイス」が「コマンド」として入力（認識）し、当該「コマンド」に応答して「照明調整モジュール２３０」が「ディスプレイデバイスの照明条件」を「画像化照明条件から通常のビューイング照明条件」へ調整したり、「通常のビューイング照明条件から画像化照明条件」へ調整したりするものといえる。
　ここで、ユーザが入力するすべての「音波」又は「動き」が、「コマンド」として入力されるものではないことは明らかであるから、「デジタルデバイス２００」は、「ビデオ通話などの使用中」にユーザによって入力される「音波」、「動き」を継続的にモニタリングして取得し、「音声認識デバイス」及び「ジェスチャ認識デバイス」が、取得した「音波」、「動き」の中から「ディスプレイデバイスの照明条件」を「画像化照明条件から通常のビューイング照明条件」へ調整するための「コマンド」又は「通常のビューイング照明条件から画像化照明条件」へ調整するための「コマンド」に対応するものが含まれるか否かを決定（通知）し、含まれる場合に、決定した「コマンド」に対応する「ディスプレイデバイスの照明条件」を調整する処理を実行するものである。
　そうすると、引用発明１において、ユーザによって入力される「音波」、「動き」は、継続的にモニタリングされ、「音声認識デバイス」、「ジェスチャ認識デバイス」が「コマンド」として入力（認識）するものであるから、本願発明１の「ユーザの入力されたユーザ行動データ」及び「ユーザにより音声方式及びジェスチャ方式を含む所定の方式で入力されたユーザ行動データ」に相当し、そうすると、引用発明１において、「電子デバイス」（「デジタルデバイス２００」）の制御方法は、本願発明１の「ユーザの入力されたユーザ行動データをモニタリングし、ユーザにより音声方式及びジェスチャ方式を含む所定の方式で入力されたユーザ行動データを取得するステップ」を備えるといえる。
ｃ　引用発明１の「ディスプレイデバイスの照明条件」を「画像化照明条件から通常のビューイング照明条件」へ調整するための「コマンド」及び「通常のビューイング照明条件から画像化照明条件」へ調整するための「コマンド」は、本願発明１の「所定の操作命令セット」に相当する。
　また、これら各々の「コマンド」に対応して実行される「ディスプレイデバイスの照明条件」を「画像化照明条件から通常のビューイング照明条件」へ調整する処理及び「通常のビューイング照明条件から画像化照明条件」へ調整する処理は、本願発明１の「イベント」に相当する。
　また、前記ａを参酌すると、引用発明１は、ユーザによって入力される「音波」、「動き」の中で「ディスプレイデバイスの照明条件」を「画像化照明条件から通常のビューイング照明条件」へ調整するための「コマンド」に相当するものが含まれると認識（判断・通知）されると、「ディスプレイデバイスの照明条件」を「画像化照明条件から通常のビューイング照明条件」へ調整するための「コマンド」を決定し、「画像化照明条件から通常のビューイング照明条件」へ調整する処理を実行し、また、「通常のビューイング照明条件から画像化照明条件」へ調整するための「コマンド」に対応するものが含まれると認識（判断・通知）されると「通常のビューイング照明条件から画像化照明条件」へ調整する処理を実行するものといえる。
　そうすると、引用発明１において、「電子デバイス」（「デジタルデバイス２００」）の制御方法は、本願発明１の「前記ユーザ行動データに所定のトリガ情報が含まれているか否かを決定するステップ」及び「前記トリガ情報が含まれていると判断・通知された場合、所定の操作命令セットのうち前記トリガ情報に対応する操作命令を決定し、前記操作命令に対応するイベントを実行するステップ」とを含むものといえる。
ｄ　引用発明１の「電子デバイス」（「デジタルデバイス２００」）の制御方法は、前記ｂ及びｃにおいて対比した各処理（ステップ）を実行することにより「ビデオ通話」を制御するものと把握することができ、かつ、「ビデオ通話」は、音声と映像（ビデオ）による双方向（インタラクティブ）の通話であるから、本願発明１の「音声及びビデオ通話のためのインタラクティブ制御方法」に相当する。
（イ）一致点、相違点
　したがって、本願発明１と引用発明１との間には、次の一致点、相違点があるといえる。
［一致点］
「　ユーザと１つ又は複数の他のユーザとの音声通話及びビデオ通話の経過において、ユーザの入力されたユーザ行動データをモニタリングし、ユーザにより音声方式及びジェスチャ方式を含む所定の方式で入力されたユーザ行動データを取得するステップと、
　前記ユーザ行動データに所定のトリガ情報が含まれているか否かを決定するステップと、
　前記トリガ情報が含まれていると判断・通知された場合、所定の操作命令セットのうち前記トリガ情報に対応する操作命令を決定し、前記操作命令に対応するイベントを実行するステップと、を含む、
　ことを特徴とする音声及びビデオ通話のためのインタラクティブ制御方法。」
［相違点］
＜相違点１＞
　本願発明１は、
「　前記トリガ情報は、キーワードを含み、
　ユーザにより所定の方式で入力されたユーザ行動データを取得するステップは、
　カメラにより採取されたビデオ情報を取得するステップと、
　ビデオ認識アルゴリズムに基づいて前記ビデオ情報を認識して、前記ビデオ情報の認識結果を前記ユーザ行動データとして生成するステップであって、前記認識結果は、前記ビデオ情報における物の特徴情報を含むステップと、を含み、
　前記ユーザ行動データに所定のトリガ情報が含まれているか否かを決定するステップは、
　前記ユーザ行動データに前記物の特徴情報により決定された所定の前記キーワードが含まれているか否かを判断するステップを含み、
　前記キーワードが含まれていると判断・通知された場合、所定の操作命令セットのうち前記トリガ情報に対応する操作命令を決定し、前記操作命令に対応するイベントを実行するステップは、
　前記キーワードが含まれていると判断・通知された場合、サーバが前記キーワードに対応する推薦情報を取得するように、前記キーワードを前記サーバに送信し、前記サーバから返信された前記推薦情報を受信し、前記推薦情報をユーザに提供するという前記キーワードに対応する操作命令を決定し、前記キーワードに対応する操作命令に従ってイベントを実行すること、を含む、」
との構成を備えるのに対し、引用発明１は、当該構成を具体的に特定するものではない点。
（ウ）理由２（新規性欠如）についての判断
　前記（イ）のように、本願発明１と引用発明１との間には相違点（相違点１）があるから、本願発明１は、引用発明１に対して新規性を有することは明らかである。
　よって、本願発明１は、引用文献１に記載された発明ではない。
（エ）相違点についての判断
　上記相違点１について検討するに、上記相違点１に係る本願発明１の構成は、引用文献１ないし５には記載されておらず、本願優先日前において周知技術であるともいえない。
　仮に、周知技術であるとしても、ユーザの「音波」（音声）又は「動き」（ジェスチャ）によりコマンドを入力する方式を採用している引用発明１において、ビデオ情報に含まれる物の特徴に基づいて検索及び表示を行う処理を付加すべき動機付けが存在しない。
　したがって、本願発明１は、当業者であっても引用文献１ないし５に記載された発明に基いて容易に発明をすることができたものであるとはいえない。
イ　本願発明２及び３について
　本願発明２及び３は、上記相違点１に係る本願発明１の構成を備えるから、本願発明１と同様に、引用文献１に記載された発明ではなく、また、当業者であっても引用文献１ないし５に記載された発明に基いて容易に発明をすることができたものであるとはいえない。
ウ　本願発明４ないし８について
　本願発明４は、本願発明１を「インタラクティブ制御装置」として特定したものであり、本願発明７は、本願発明１を「プロセッサ」を備える「インタラクティブ制御装置」として特定したものであり、また、本願発明８は、本願発明１を「インタラクティブ制御方法」を実行するためのアプリケーションプログラムが記憶されている「記憶媒体」として特定したものであって、いずれも、上記相違点１に係る本願発明１の構成を備えるから、本願発明１と同様に、引用文献１に記載された発明ではなく、また、当業者であっても引用文献１ないし５に記載された発明に基いて容易に発明をすることができたものであるとはいえない。
（２）引用文献２に基づく進歩性欠如（理由３）について
ア　本願発明１について
（ア）対比
　本願発明１と引用発明２とを対比する。
ａ　引用発明２は、「不特定多数で行うコミュニケーションに特化した付加価値の高いサービスを実現することをも目的とするビデオチャット会議室を実現する多地点通信システムの制御方法」に関するものであって、「ビデオチャット会議室」は、「仮想チャットルーム２」において、少なくとも複数の「参加端末局５」が「双方向通信により映像および音声を送受信して情報交換を行う」ものであり、複数の「参加端末局５」のユーザは、本願発明１の「ユーザと１つ又は複数の他のユーザ」に相当し、また、引用発明２において、複数の「参加端末局５」間でなされる「双方向通信により映像および音声を送受信して情報交換を行う」こと、すなわち「ビデオチャット」は、本願発明１の「音声通話及びビデオ通話」に相当する。
ｂ　引用発明２は、
「　本システムは、広告配信機能（広告配信手段）を有し、ユーザーインターフェース２６上には、広告表示領域４９が設けられ、ビデオチャットの開催中には、当該領域に、各種の広告が表示され、
　広告配信機能は、仮想チャットルーム２のタイトル、話題、およびテーマなどを基に選択された関連広告が表示される態様であってもよく、さらに、広告配信機能は、ビデオチャットで行われる情報交換の内容をリアルタイムに反映して行われる態様であってもよく、例えば、ビデオチャットを実施しているユーザーインターフェース２６上において、多目的情報交換ボード４３を利用して表示された文字列を、基地局１が検知し、この文字列をもとに検索エンジン部１７で、各種の広告表示に係る情報が格納されているウェブコンテンツデータベース１７の内容を検索し、その結果を関連広告として、基地局１から各端末局５，７へ送信し、各端末局５，７の広告表示領域４９、または空いている映像表示領域４１に表示する」
との構成を備えているところ、
「複数の仮想チャットルーム２（２Ａ〜２Ｄ）を実現する基地局１」は、「ビデオチャットの開催中」に、「多目的情報交換ボード４３を利用して表示された文字列」を「検知」して、「この文字列をもとに検索エンジン部１７で、各種の広告表示に係る情報が格納されているウェブコンテンツデータベース１７の内容を検索し、その結果を関連広告として、基地局１から各端末局５，７へ送信し、各端末局５，７の広告表示領域４９、または空いている映像表示領域４１に表示する」処理を行うものと把握することができる。
　ここで、引用発明２の「ビデオチャットの開催中」は、前記ａより「音声通話及びビデオ通話の経過」における期間といえる。
　また、引用発明２の「多目的情報交換ボード４３」と本願発明１の「ウェブページの他、画像や映像を表示し、この表示内容をビデオチャットの参加者間で共有するという機能を有し、具体的には、例えば、多目的情報交換ボード４３上に、表示したウェブページ、画像、映像、文字などを、基地局１を介して、全ての、または特定の、参加端末局５に表示させ、情報を共有しながらビデオチャットによる情報交換を進めることができ」るものであるから、「多目的情報交換ボード４３」上に表示される情報は、「仮想チャットルーム２」（ビデオチャット）に参加しているユーザによってアップロード（入力）され、共有されるものである。
　よって、引用発明２の「多目的情報交換ボード４３」上に表示される情報は、「ユーザの入力されたユーザデータ」及び「ユーザにより所定の方式で入力されたユーザデータ」といい得るものである。
　また、引用発明２は、「広告配信機能は、仮想チャットルーム２のタイトル、話題、およびテーマなどを基に選択された関連広告が表示される態様であってもよく、さらに、広告配信機能は、ビデオチャットで行われる情報交換の内容をリアルタイムに反映して行われる態様であってもよく」との構成からすると、「基地局１」が「ビデオチャットで行われる情報交換の内容」として「多目的情報交換ボード４３」上に表示される情報をリアルタイムに取得して前記情報中の「文字列」を検出するものであって、「基地局１」は、当該「文字列」を検出するために、「多目的情報交換ボード４３」上に表示される情報をモニタリングし当該情報をリアルタイムに取得しているといえる。
　したがって、引用発明２において「基地局１」が「文字列」を検出するために「ビデオチャットで行われる情報交換の内容」として「多目的情報交換ボード４３」上に表示される情報をリアルタイムに取得することと、本願発明１の「ユーザの入力されたユーザ行動データをモニタリングし、ユーザにより音声方式及びジェスチャ方式を含む所定の方式で入力されたユーザ行動データを取得する」こととは、「ユーザの入力されたユーザデータをモニタリングし、ユーザにより所定の方式で入力されたユーザデータを取得する」ことにおいて共通する。
ｃ　前記ａ及びｂより、引用発明２と、本元発明１の「ユーザと１つ又は複数の他のユーザとの音声通話及びビデオ通話の経過において、ユーザの入力されたユーザ行動データをモニタリングし、ユーザにより音声方式及びジェスチャ方式を含む所定の方式で入力されたユーザ行動データを取得するステップ」とは、「ユーザと１つ又は複数の他のユーザとの音声通話及びビデオ通話の経過において、ユーザの入力されたユーザデータをモニタリングし、ユーザにより所定の方式で入力されたユーザデータを取得するステップ」との共通の構成を備える。
ｄ　本願発明１は、「前記トリガ情報は、キーワードを含み」との構成を備えるから、「トリガ情報」は「キーワード」である場合を含む。
　ここで、引用発明２は、「広告配信機能は、仮想チャットルーム２のタイトル、話題、およびテーマなどを基に選択された関連広告が表示される」との構成を備えることから、引用発明２において、「多目的情報交換ボード４３」上に表示される情報から検出される「文字列」は、いかなる文字列であってもよいわけではなく、仮想チャットルーム２のタイトル、話題、及びテーマといった、仮想チャットルーム２が対象としているものに限定されるべきであり、そうすると、「基地局１」は、「多目的情報交換ボード４３」上に表示される情報の中から、仮想チャットルーム２が対象としている情報を示す「文字列」を検出するものといえる。よって、そのように検出される「文字列」は、本願発明１の「所定のトリガ情報」（「キーワード」）に相当する。
　また、引用発明２において、「基地局１」は、「多目的情報交換ボード４３」上に表示される情報に仮想チャットルーム２が対象としている情報を示す「文字列」が含まれているか否かを決定するものといえる。
　したがって、前記ｃを参酌すると、引用発明２と本願発明１の「前記ユーザ行動データに所定のトリガ情報が含まれているか否かを決定するステップ」とは、「前記ユーザデータに所定のトリガ情報が含まれているか否かを決定するステップ」との構成を備える点において共通する。
ｅ　引用発明２において、「基地局１」は、「文字列をもとに検索エンジン部１７で、各種の広告表示に係る情報が格納されているウェブコンテンツデータベース１７の内容を検索し、その結果を関連広告として、基地局１から各端末局５，７へ送信し、各端末局５，７の広告表示領域４９、または空いている映像表示領域４１に表示する」ものであり、ここで「基地局１」は、「文字列」の検出に対応して、すなわち、「前記ユーザデータに所定のトリガ情報が含まれている」と判断（通知）された場合に、「検索」、「送信」、「表示」といった処理を実行するものであり、これらの処理を実行することは、「イベント」を実行することといい得るものである。
　また、本願発明１の「前記トリガ情報が含まれていると判断・通知された場合、所定の操作命令セットのうち前記トリガ情報に対応する操作命令を決定し、前記操作命令に対応するイベントを実行するステップ」において、「イベント」は、間接的に「トリガ情報」に対応するものである。
　よって、引用発明２と本願発明１の「前記トリガ情報が含まれていると判断・通知された場合、所定の操作命令セットのうち前記トリガ情報に対応する操作命令を決定し、前記操作命令に対応するイベントを実行するステップ」とは「前記トリガ情報が含まれていると判断・通知された場合、前記トリガ情報に対応するイベントを実行するステップ」を備える点において共通する。
ｆ　前記ｄより、引用発明２は、本願発明１の「前記トリガ情報は、キーワードを含み」との構成を備える。
ｇ　前記ｄないしｆを参酌すると、引用発明２において、「多目的情報交換ボード４３」上に表示される情報をリアルタイムに取得して前記情報中の「文字列」を検出することと、本願発明２の
「前記ユーザ行動データに所定のトリガ情報が含まれているか否かを決定するステップは、
　前記ユーザ行動データに前記物の特徴情報により決定された所定の前記キーワードが含まれているか否かを判断するステップを含み、」
とは、
「前記ユーザデータに所定のトリガ情報が含まれているか否かを決定するステップは、
　前記ユーザデータに所定の前記キーワードが含まれているか否かを判断するステップを含み、」
である点において共通する。
ｈ　引用発明２は、「広告配信機能は、仮想チャットルーム２のタイトル、話題、およびテーマなどを基に選択された関連広告が表示される」ものであって、当該「関連広告」は、「文字列をもとに検索エンジン部１７で、各種の広告表示に係る情報が格納されているウェブコンテンツデータベース１７の内容を検索し、その結果を関連広告として、基地局１から各端末局５，７へ送信し、各端末局５，７の広告表示領域４９、または空いている映像表示領域４１に表示する」ことにより、検索、表示がなされるものである。
　ここで、引用発明２の「関連広告」は、本願発明２の「推薦情報」に相当し、引用発明２の「ウェブコンテンツデータベース１７」は、関連広告（推薦情報）を検索して提供するものであることから、本願発明２の「サーバ」に相当する。
　また、引用発明２において、「文字列」をもとに「ウェブコンテンツデータベース１７」を検索して「関連広告」を取得して、各端末５、７に表示することは、「ウェブコンテンツデータベース１７」が「文字列」に対応する「関連広告」を取得するように、前記「文字列」を前記「ウェブコンテンツデータベース１７」に送信し、前記「ウェブコンテンツデータベース１７」から返信された前記「関連広告」を受信し、前記「関連広告」を表示することによってユーザに提供するというイベントを実行することに等しい。
　以上から、前記ｄないしｆを参酌すると、引用発明２において、「文字列」をもとに「ウェブコンテンツデータベース１７」を検索して「関連広告」を取得して、各端末５、７に表示することと、本願発明１の
「　前記キーワードが含まれていると判断・通知された場合、所定の操作命令セットのうち前記トリガ情報に対応する操作命令を決定し、前記操作命令に対応するイベントを実行するステップは、
　前記キーワードが含まれていると判断・通知された場合、サーバが前記キーワードに対応する推薦情報を取得するように、前記キーワードを前記サーバに送信し、前記サーバから返信された前記推薦情報を受信し、前記推薦情報をユーザに提供するという前記キーワードに対応する操作命令を決定し、前記キーワードに対応する操作命令に従ってイベントを実行すること」
　とは、
「　前記キーワードが含まれていると判断・通知された場合、前記トリガ情報に対応するイベントを実行するステップは、
　前記キーワードが含まれていると判断・通知された場合、サーバが前記キーワードに対応する推薦情報を取得するように、前記キーワードを前記サーバに送信し、前記サーバから返信された前記推薦情報を受信し、前記推薦情報をユーザに提供するという前記キーワードに対応するイベントを実行すること」
である点において共通する。
ｉ　引用発明２の「基地局１」は、「仮想チャットルーム２」すなわち複数のユーザによる「ビデオチャット」と「ビデオチャットの開催中」の広告配信を制御するものといえ、「ビデオチャット」は、音声と映像（ビデオ）による双方向（インタラクティブ）の通話である。
　よって、引用発明２の「多地点通信システムの制御方法」は、本願発明１の「音声及びビデオ通話のためのインタラクティブ制御方法」に相当する。
（イ）一致点、相違点
　したがって、本願発明１と引用発明２との間には、次の一致点、相違点があるといえる。
［一致点］
「　ユーザと１つ又は複数の他のユーザとの音声通話及びビデオ通話の経過において、ユーザの入力されたユーザデータをモニタリングし、ユーザにより所定の方式で入力されたユーザデータを取得するステップと、
　前記ユーザデータに所定のトリガ情報が含まれているか否かを決定するステップと、
　前記トリガ情報が含まれていると判断・通知された場合、前記トリガ情報に対応するイベントを実行するステップと、を含み、
　前記トリガ情報は、キーワードを含み、
　前記ユーザデータに所定のトリガ情報が含まれているか否かを決定するステップは、
　前記ユーザデータに所定の前記キーワードが含まれているか否かを判断するステップを含み、
　前記キーワードが含まれていると判断・通知された場合、前記トリガ情報に対応するイベントを実行するステップは、
　前記キーワードが含まれていると判断・通知された場合、サーバが前記キーワードに対応する推薦情報を取得するように、前記キーワードを前記サーバに送信し、前記サーバから返信された前記推薦情報を受信し、前記推薦情報をユーザに提供するという前記キーワードに対応するイベントを実行すること、を含む、
ことを特徴とする音声及びビデオ通話のためのインタラクティブ制御方法。」
［相違点］
＜相違点２＞
　「ユーザデータ」が、本願発明１は「ユーザにより音声方式及びジェスチャ方式を含む所定の方式で入力されたユーザ行動データ」であるのに対し、引用発明２は、「多目的情報交換ボード４３」上に表示される情報であって、「仮想チャットルーム２」（ビデオチャット）に参加しているユーザによってアップロード（入力）され共有される情報であるものの、「音声方式及びジェスチャ方式を含む所定の方式」で入力されるものと具体的に特定していない点。
＜相違点３＞
　本願発明１は、「所定の操作命令セットのうち前記トリガ情報に対応する操作命令を決定し、前記操作命令に対応するイベントを実行するステップ」を備えるのに対し、引用発明２は当該構成を具体的に特定していない点。
　よって、本願発明１は、前記「イベントを実行するステップ」が、「前記キーワードに対応する操作命令に従ってイベントを実行する」ものであるのに対し、引用発明２は、当該構成を具体的に特定していない点。
＜相違点４＞
　本願発明１は、「ユーザ行動データを取得するステップ」として、
「　　カメラにより採取されたビデオ情報を取得するステップと、
　
ビデオ認識アルゴリズムに基づいて前記ビデオ情報を認識して、前記ビデオ情報の認識結果を前記ユーザ行動データとして生成する
前記認識結果は、前記ビデオ情報における物の特徴情報を含む
（ウ）相違点についての判断
　事案に鑑みて、上記相違点４について先に検討すると、相違点４に係る本願発明１の構成は、上記引用文献２並びに１及び３ないし５には記載されておらず、本願優先日前において周知技術であるともいえない。
　仮に、周知技術であるとしても、引用発明２に、音声とジェスチャとによって操作命令を決定する方式を採用した上で、ビデオ情報に含まれる物の特徴に基づいて検索及び表示を行う処理をさらに付加すべき動機付けが存在しない。
　したがって、他の相違点について判断するまでもなく、本願発明１は、当業者であっても引用発明２並びに引用文献１及び３ないし５に記載された発明に基いて容易に発明をすることができたものであるとはいえない。
イ　本願発明２及び３について
　本願発明２及び３は、上記相違点４に係る本願発明１の構成を備えるから、本願発明１と同様に、当業者であっても引用発明２並びに引用文献１及び３ないし５に記載された発明に基いて容易に発明をすることができたものであるとはいえない。
ウ　本願発明４ないし８について
　本願発明４は、本願発明１を「インタラクティブ制御装置」として特定したものであり、本願発明７は、本願発明１を「プロセッサ」を備える「インタラクティブ制御装置」として特定したものであり、また、本願発明８は、本願発明１を「インタラクティブ制御方法」を実行するためのアプリケーションプログラムが記憶されている「記憶媒体」として特定したものであって、いずれも、上記相違点４に係る本願発明１の構成を備えるから、本願発明１と同様に、当業者であっても引用発明２並びに引用文献１及び３ないし５に記載された発明に基いて容易に発明をすることができたものであるとはいえない。
３　当審拒絶理由についてのまとめ
　前記１及び２より、当審拒絶理由は、解消した。
第７　原査定についての判断
　本件補正により、補正後の請求項１ないし８は、ビデオ情報を認識した認識結果としての物の特徴情報に所定のキーワードが含まれる場合に、当該キーワードに基づいて推薦情報を取得して表示するという技術的事項を有するものとなった。当該技術的事項は、原査定における引用文献ＡないしＣ（当審拒絶理由における引用文献４、５を含む。）には記載されておらず、本願優先日前における周知技術でもないので、本願発明１ないし８は、当業者であっても、原査定における引用文献ＡないしＣに基いて容易に発明をすることができたものではない。
　したがって、原査定を維持することはできない。
第８　むすび
　以上のとおり、原査定の理由によって、本願を拒絶することはできない。
　他に本願を拒絶すべき理由を発見しない。
　よって、結論のとおり審決する。